【事件の表示】
　特願２００２−１２０６０２「冷凍機」拒絶査定不服審判事件〔平成１５年１１月　６日出願公開、特開２００３−３１４９３２号〕について、次のとおり審決する。
【結　論】
　本件審判の請求は、成り立たない。
【理　由】
第１．手続の経緯
　本願は、平成１４年４月２３日の出願であって、平成２０年２月２５日付けで拒絶査定がなされ、これに対して、平成２０年４月３日に拒絶査定不服審判が請求されるとともに、平成２０年４月２３日付けで手続補正がなされたものである。
　
第２．平成２０年４月２３日付けの手続補正についての補正却下の決定
[補正却下の決定の結論］
　平成２０年４月２３日付けの手続補正（以下「本件補正」という。）を却下する。
[理由]
１．補正後の本願発明
　本件補正により、特許請求の範囲の請求項１は、
 「【請求項１】冷温側の雰囲気中に配置された熱交換器（４）を有し、低温側の熱を高温側に移動させる冷凍機であって、前記熱交換器（４）の表面に発生した凝縮水を溜めるドレンパン（４ｂ）と、通電により発熱し、前記ドレンパン（４ｂ）内に溜まった凝縮水を加熱するヒータ（４ｃ）とを備え、前記雰囲気の温度が第１所定温度（Ｔ１）以下のときに、前記熱交換器（４）の表面に付着した霜を取り除く除霜運転を行い、前記雰囲気の温度が前記第１所定温度（Ｔ１）よりも低い第２所定温度（Ｔ２）以下のときには、前記除霜運転を行うとともに前記ヒータ（４ｃ）の通電を行うことを特徴とする冷凍機。」と補正された。
　
　上記の補正は、発明を特定するために必要な事項である「ヒータ（４ｃ）の通電」について、本件補正前の請求項１に係る発明において「前記雰囲気の温度が前記第１所定温度（Ｔ１）よりも低いとき」に開始することが特定されていたところ、本件補正により上記の特定が、「前記雰囲気の温度が、前記第１所定温度（Ｔ１）よりも低い第２所定温度（Ｔ２）以下のときには、前記除霜運転を行うとともに」行うと限定されたものであり、本件補正に係る事項は、願書に最初に添付した明細書又は図面に記載した事項の範囲内においてしたものであり、本件補正前の特許請求の範囲の請求項１に記載された発明と、本件補正後の特許請求の範囲の請求項１に記載される発明の産業上の利用分野、及び解決しようとする課題が同一であるので、平成１８年法律５５号改正附則第３条第１項により、なお従前の例とされる同法による改正前の特許法第１７条の２第４項第２号に規定する特許請求の範囲の減縮を目的とするものに該当する。
　
　そこで、本件補正後の請求項１に係る発明（以下「本願補正発明」という。）が独立して特許を受けることができるものであるか（平成１８年法律５５号改正附則第３条第１項によりなお従前の例とされる同法による改正前の特許法第１７条の２第５項において準用する同法第１２６条第５項の規定に適合するかどうか）について、以下検討する。
　
２．引用刊行物とその記載
　刊行物１：特開平６−２８１２０１号公報　
　
（１）原査定の拒絶の理由に引用され、本願出願日前に頒布された刊行物１には、空気調和機に関して以下の記載がある。
ア．「本発明の空気調和機は、圧縮機、四方弁、室外熱交換器、減圧装置、室内熱交換器等を有する冷凍サイクルを設けた空気調和機において、上記室外熱交換器で生成されたドレン水の凍結を防止する正特性ヒータを設けたものである。」（段落【０００７】の記載参照）
イ．「上記構成にて、暖房運転時、外気温度が低下すると、外気温度の低下に応じて正特性ヒータの発熱量が増加して、該正特性ヒータの発熱量は大きくなり、該正特性ヒータにて凍結するドレン水を加熱して、ドレン水の凍結を確実に防止することができ、しかも、除霜運転と同時に上記正特性ヒータを使用すると、外気温度の低下に応じて該正特性ヒータの発熱量が増加するので、室外熱交換器に着霜する霜の除霜も効率よく確実に行うことができる。」（段落【０００８】の記載参照）
ウ．「図３において、室外機２０を、室外熱交換器１６と、該室外熱交換器１６の下部に該室外熱交換器１６で生成されたドレン水を受けるドレンパン２１と、該ドレンパン２１にこのドレン水を上記室外機２０外へ排水する排水口２２と、上記ドレンパン２１の下部に上記室外熱交換器１６で生成されたドレン水が外気により凍結するのを防止する正特性半導体ヒータ１２とから構成している。」（段落【００１３】の記載参照）
エ．「冷暖房運転切換スイッチ７をＯＮにすると、正特性半導体ヒータ１２を通電し、同時に外気温度を検知して所定温度より低下すると、ＯＦＦにする温度センサー１０を介してリレー１１が通電され、該リレー１１が通電されるとリレースイッチ６，９，１４とをＯＮさせ、室外ファンモータ５と減圧装置８と室内ファンモータ１３とを通電し、上記リレースイッチ９をＯＮすると、四方弁１５を通電し、該四方弁１５を通電すると、冷媒の流れが変わり室内への暖房運転が行われる。」（段落【００１７】の記載参照）
オ．「上記の場合に暖房運転を行うと、上記室外熱交換器１６で生成されたドレン水はドレンパン１７に溜まり、この溜まったドレン水は排水口２２から室外機２０外へ排水される。この時、上記ドレンパン１７に溜まったドレン水は冬季においては外気により冷却されて凍結するが、このドレン水の凍結を外気温度の高低により正特性半導体ヒータ１２の発熱量が減増し、該正特性半導体ヒータ１２にて加熱することにより確実に防止される。」（段落【００１８】の記載参照）
カ．「例えば、外気温度が初冬の１０℃程度の場合には、上記正特性ヒータ１２の少量の発熱量でドレン水の凍結を防止し、上記排水口２２に排水される。また、真冬の厳寒時（氷点下）には、上記正特性半導体ヒータ１２の多量の発熱量でドレン水の凍結を確実に防止し、上記排水口２２に排水される。」（段落【００１９】の記載参照）
キ．「暖房運転を行うと、上記室外熱交換器１６の下部に霜が着霜し、暖房運転を一時停止して四方弁１９で冷媒の流れを逆流させて上記室外熱交換器１６の下部に着霜する霜を取り除く除霜運転と、この除霜運転と同時に上記正特性半導体ヒータ１２にて上記室外熱交換器１６の下部に着霜する霜を除霜することで、除霜時間を短縮することができる。」（段落【００２０】の記載参照）
　
　以上の記載（ア．〜キ．）を総合すると、刊行物１には、以下の発明（「引用発明」という。）が記載されている。
　
「室外熱交換器１６を有する冷凍サイクルを設けた空気調和機であって、室外熱交換器１６の下部に該室外熱交換機１６で生成されたドレン水を受けるドレンパン２１と、ドレンパン２１の下部に室外熱交換器１６で生成されたドレン水が外気により凍結するのを防止するための、外気温が低下すると発熱量が増加する正特性半導体ヒータ１２を備え、室外熱交換器１６の下部に着霜する霜を取り除く除霜運転を行い、この除霜運転と同時に上記正特性半導体ヒータ１２にて上記室外熱交換器１６の下部に着霜する霜を除霜する空気調和機」
　
３．発明の対比
　本願補正発明と、引用発明とを比較すると、引用発明における「冷凍サイクルを設けた空気調和機」は、冷凍機を備えるものであり、暖房運転時に低温側の熱を高温側に移動させるものであることが技術常識に照らして明らかであるから、本願補正発明の「低温側の熱を高温側に移動させる冷凍機」に相当し、
　同様に、「室外熱交換器１６」は、空気調和機において、室内の暖房時には、冷温側の雰囲気中に配置されたものとなるから、「冷温側の雰囲気中に配置された熱交換機（４）」に、「ドレン水」は、「凝縮水」に、「ドレンパン２１」は、「ドレンパン（４ｂ）」に、「ドレン水を受けるドレンパン２１」は、「凝縮水を溜めるドレンパン（４ｂ）」に、「ドレン水が外気により凍結するのを防止するための、外気温が低下すると発熱量が増加する正特性半導体ヒータ１２」は、「通電により発熱し、ドレンパン（４ｂ）内に溜まった凝縮水を加熱するヒータ（４ｃ）」に、「室外熱交換器１６の下部に着霜する霜を取り除く除霜運転」は、「熱交換器（４）の表面に付着した霜を取り除く除霜運転」、「除霜運転と同時に正特性半導体ヒータ１２にて室外熱交換器１６の下部に着霜する霜を除霜する」は、正特性半導体ヒータ１２による室外熱交換器１６の下部に着霜する霜の除霜を行うにあたって、正特性半導体ヒータ１２に対して通電を行っていることに他ならないから、「除霜運転を行うとともにヒータ（４ｃ）の通電を行う」にそれぞれ相当する。
　　
　よって、両者の一致点、相違点は以下のとおりである。
　
［一致点］
「冷温側の雰囲気中に配置された熱交換器（４）を有し、低温側の熱を高温側に移動させる冷凍機であって、前記熱交換器（４）の表面に発生した凝縮水を溜めるドレンパン（４ｂ）と、通電により発熱し、前記ドレンパン（４ｂ）内に溜まった凝縮水を加熱するヒータ（４ｃ）とを備え、前記熱交換器（４）の表面に付着した霜を取り除く除霜運転を行うとともにヒータ（４ｃ）の通電を行う冷凍機。」　
　
［相違点１］
　本願補正発明においては、「雰囲気の温度が第１所定温度（Ｔ１）以下のときに、熱交換器（４）の表面に付着した霜を取り除く除霜運転を行」なうのに対して、引用発明においては、除霜運転を行うにあたっての雰囲気の温度に関する条件が明らかでない点。
　
［相違点２］
　本願補正発明においては、「雰囲気の温度が前記第１所定温度（Ｔ１）よりも低い第２所定温度（Ｔ２）以下のときには、前記除霜運転を行うとともに前記ヒータ（４ｃ）の通電を行う」のに対して、引用発明においては、外気温が低下すると発熱量が増加する正特性半導体ヒータを備え、室外熱交換器１６の下部に着霜する霜を取り除く除霜運転を行うものであるが、雰囲気の温度が所定温度以下となることにより正特性半導体ヒータに対する通電を行うものではない点。
　
４．当審の判断
　そこで、上記各相違点について検討する。
［相違点１について］
　冷凍機を備えた装置の技術分野において、外気温度等の熱交換器への着霜に関係する温度を考慮し、該温度が所定温度以下あるいは、所定温度より低い場合に除霜運転を行うことは従来周知（周知例として、特開昭５５−３１２５４号公報、特開平８−６１８１３号公報等を参照）である。よって、引用発明における除霜運転を行うにあたり、外気温等が所定温度以下となった場合に除霜運転を行うことにより、上記相違点１に係る発明特定事項とする点は、当業者が容易になし得たものである。
　
［相違点２について］
　引用発明における、外気温が低下するとともに発熱量が増加する正特性半導体ヒータは、外気温の低下による凍結防止の必要に応じた発熱量を得るものである。そうすると、凍結防止の必要性が少ない外気温が高い時には、自ずと発熱量は少ないものとなり、省電力という課題を解決するものといえる。
　また、冷凍機を備えた装置の技術分野において、ドレンパン等に流れた凝縮水の凍結防止のためにヒータを設け、外気温度が所定温度以下の低温となった時にヒータの通電を行うことは周知（周知例として、実願昭６１−５１６７４号（実開昭６２−１７１８８３号）のマイクロフィルム、特開平８−３３２８３０号公報等を参照）であるから、引用発明に上記周知の技術事項を適用して、引用発明の正特性半導体ヒータに代えて、外気温度が所定温度以下の低温となった時に通電を行うヒータを採用し、その際、省電力という課題を考慮してヒータへの通電を必要最小限とすべく、ヒータの通電を行う所定温度を、除霜運転を行う第１の所定温度よりも低い第２の所定温度以下とすることにより、上記相違点２に係る発明特定事項とする点は、当業者が容易になし得たものである。
　
　そして、本願補正発明全体により得られる効果も引用発明、及び周知の技術事項から、当業者であれば予測できた範囲のものである。
　
　よって、本願補正発明は、引用発明、及び周知技術に基づいて、当業者が容易に発明することができたものであるから、特許法第２９条第２項の規定により特許出願の際独立して特許を受けることができないものである。　　
　
５．結び
　以上のとおり、本件補正は、平成１８年法律第５５号改正附則第３条第１項によりなお従前の例とされる同法による改正前の特許法第１７条の２第５項において準用する同法第１２６条第５項の規定に違反するものであり、同法第１５９条第１項において読み替えて準用する同法第５３条第１項の規定により却下されるべきものである。
　
第３．本願発明について
１．本願の発明
　本件補正は上述のように却下されたので、本願の請求項１に係る発明は、平成１９年４月２０日付けの手続補正により補正された特許請求の範囲の請求項１に記載された事項により特定される以下のとおりのものである。（以下「本願発明」という。）
　
 「【請求項１】冷温側の雰囲気中に配置された熱交換器（４）を有し、低温側の熱を
高温側に移動させる冷凍機であって、前記熱交換器（４）の表面に発生した凝縮水を溜めるドレンパン（４ｂ）と、通電により発熱し、前記ドレンパン（４ｂ）内に溜まった凝縮水を加熱するヒータ（４ｃ）とを備え、前記雰囲気の温度が第１所定温度（Ｔ１）以下のときに、前記熱交換器（４）の表面に付着した霜を取り除く除霜運転を行うとともに、前記雰囲気の温度が前記第１所定温度（Ｔ１）よりも低いときに、前記ヒータ（４ｃ）の通電を開始することを特徴とする冷凍機。」
　
２．引用刊行物
　引用刊行物は、上記第２．２．に記載したとおりのものである。
　
３．発明の対比・判断
　本願発明は、本願補正発明の、ヒータの通電について、「雰囲気の温度が第１所定温度（Ｔ１）よりも低い第２所定温度（Ｔ２）以下のときには、前記除霜運転を行うとともに」行うとの特定事項を、「前記雰囲気温度が第１所定温度（Ｔ１）よりも低い」ときに開始するとしたものである。　
　そうすると、本願発明は、上記「第２」で検討した本願補正発明の特定事項を全て含むものであるから、本願発明も「第２　３．４．」で記載したものと同様の理由により、引用発明及び周知の技術事項に基づいて当業者が容易に発明をすることができたものである。
　
４．結び
　以上の通り、本願発明は、引用発明及び周知の技術事項に基づいて当業者が容易に発明することができたものであるから、特許法第２９条第２項の規定により特許を受けることができない。
　
　したがって、本願は他の請求項について検討するまでもなく、拒絶すべきものである。 　
　よって、結論のとおり審決する。